(57)【要約】【課題】カラオケ歌唱を妨げるような使用を禁止できるカラオケ用タンバリンを提供する。【解決手段】軸部により保持された複数のシンバルが揺動し、互いに接触することで発音する発音体を有するカラオケ用タンバリンであって、カラオケ装置から、ある楽曲の歌唱区間についてカラオケ演奏中であることを示す歌唱区間信号を受信した場合、禁止手段を駆動させることにより、発音体の発音を禁止する発音制御部を有するカラオケ用タンバリン。【選択図】図２
2020052174.tif 000002
【特許請求の範囲】
【請求項１】
軸部により保持された複数のシンバルが揺動し、互いに接触することで発音する発音体を有するカラオケ用タンバリンであって、
カラオケ装置から、ある楽曲の歌唱区間についてカラオケ演奏中であることを示す歌唱区間信号を受信した場合、禁止手段を駆動させることにより、前記発音体の発音を禁止する発音制御部を有するカラオケ用タンバリン。
【請求項２】
前記軸部及び前記シンバルは強磁性体により構成されており、
前記禁止手段は、前記軸部と磁気的に接続された電磁石であり、
前記発音制御部は、前記電磁石に通電することにより、前記発音体の発音を禁止することを特徴とする請求項１記載のカラオケ用タンバリン。
【請求項３】
複数の前記発音体と、
複数の前記軸部を固定するフレームと、
利用者が把持するための把持部と、
を備え、
前記電磁石は、前記把持部の内部に配設されることを特徴とする請求項２に記載のカラオケ用タンバリン。
【請求項４】
所定期間、前記歌唱区間信号を受信しなかった場合、前記発音制御部は、前記電磁石への通電を中止することにより、前記発音体の発音を許可することを特徴とする請求項２または３記載のカラオケ用タンバリン。
【発明の詳細な説明】
【技術分野】
【０００１】
本発明はカラオケ用タンバリンに関する。
【背景技術】
【０００２】
カラオケ歌唱の場において、タンバリンやマラカス等の楽器が使用されることがある。歌唱者のカラオケ歌唱に合わせて、聴衆（歌唱者以外の利用者）が楽器を鳴らすことにより、カラオケ歌唱の場を盛り上げることができる。
【０００３】
このような用途に適した楽器として、たとえば、振動により光るタンバリンが販売されている（非特許文献１参照）。
【先行技術文献】
【非特許文献】
【０００４】
【非特許文献１】「光るタンバリン」、カラテック株式会社、［平成３０年９月１９日検索］、インターネット、＜ＵＲＬ：https://store.shopping.yahoo.co.jp/karatec/led-008935.html?sc#i=shp#pc#search#itemlist#shsrg#img#ItemInfo＞
【発明の概要】
【発明が解決しようとする課題】
【０００５】
ところで、カラオケ歌唱中に楽器が鳴らされた場合、歌唱者によっては、楽器の音が気になり、カラオケ歌唱に集中できない。
【０００６】
本発明の目的は、カラオケ歌唱を妨げるような使用を禁止するカラオケ用タンバリンを提供することにある。
【課題を解決するための手段】
【０００７】
上記目的を達成するための一の発明は、軸部により保持された複数のシンバルが揺動し、互いに接触することで発音する発音体を有するカラオケ用タンバリンであって、カラオケ装置から、ある楽曲の歌唱区間についてカラオケ演奏中であることを示す歌唱区間信号を受信した場合、禁止手段を駆動させることにより、前記発音体の発音を禁止する発音制御部を有するカラオケ用タンバリンである。
本発明の他の特徴については、後述する明細書及び図面の記載により明らかにする。
【発明の効果】
【０００８】
本発明によれば、カラオケ歌唱を妨げるような使用を禁止することができる。
【図面の簡単な説明】
【０００９】
【図１】実施形態に係るカラオケ用タンバリンの外観を示す斜視図である。
【図２】実施形態に係るカラオケ用タンバリンの構成を示すブロック図である。
【図３】実施形態に係るカラオケ用タンバリンにおける処理を示すフローチャートである。
【図４】変形例に係るカラオケ用タンバリンの発音体を拡大した図である。
【発明を実施するための形態】
【００１０】
図１〜図３を参照して、本実施形態に係るカラオケ用タンバリンについて説明する。
【００１１】
図１に示すように、本実施形態に係るカラオケ用タンバリン１は、円弧状に湾曲したフレームＦ、直線状の把持部Ｈ、及びフレームＦに取り付けられた５つの発音体（発音体Ｓ１〜発音体Ｓ５）を有する。把持部Ｈは、カラオケ用タンバリン１の使用時に利用者が把持する部分である。利用者が把持部Ｈを把持した状態でカラオケ用タンバリン１を振ることにより、各発音体は、所定の音色で発音する。発音体Ｓ１〜発音体Ｓ５は、同様の構成である。
【００１２】
一の発音体は、一の軸部Ｐ、及び複数のシンバルにより構成されている。本実施形態では、四つのシンバル（シンバルＣ１〜シンバルＣ４）が設けられている。本実施形態に係る軸部Ｐ及びシンバルＣ１〜シンバルＣ４は強磁性体により構成されている。
【００１３】
軸部Ｐは、直線状の部材であり、両端がフレームＦに固定されている。軸部Ｐは、各シンバルを揺動できる状態で保持する。
【００１４】
シンバルＣ１〜Ｃ４は、揺動し、互いに接触することで発音する。シンバルは２枚で１組の構成となっている。本実施形態では、一の発音体Ｓが二組のシンバルを有する。具体的には、シンバルＣ１とシンバルＣ２が一の組を構成し、シンバルＣ３とシンバルＣ４が一の組を構成している（図１及び図２参照）。
【００１５】
図２に示すように、カラオケ用タンバリン１は、電磁石Ｅ及び制御装置Ｍを有する。電磁石Ｅ及び制御装置Ｍは、把持部Ｈの内部に配設されている。なお、把持部Ｈの内部には電磁石Ｅや制御装置Ｍに電力を供給する電源（図示なし）等も配設されている。なお、電磁石Ｅは、把持部ＨではなくフレームＦに配設してもよい。たとえばフレームＦの中央近傍に配設することにより軸部Ｐとの距離が小さくなり、磁気的な接続が容易になる。
【００１６】
電磁石Ｅは、軸部Ｐと磁気的に接続されている。電磁石Ｅは、通常はＯＦＦ状態であり、通電によりＯＮ状態となる。ＯＮ状態は、磁石として機能する状態であり、ＯＦＦ状態は磁石として機能しない状態である。本実施形態に係る電磁石Ｅは、「禁止手段」の一例である。
【００１７】
制御装置Ｍは、カラオケ用タンバリン１の各種制御を行う。図２に示すように、本実施形態に係る制御装置Ｍは、発音制御部１０として機能する。
【００１８】
発音制御部１０は、カラオケ装置Ｋから、ある楽曲の歌唱区間についてカラオケ演奏中であることを示す歌唱区間信号を受信した場合、禁止手段を駆動させることにより、発音体の発音を禁止する。また、所定期間、歌唱区間信号を受信しなかった場合、発音制御部１０は、禁止手段の駆動を中止することにより、発音体の発音を許可する。所定期間は、予め任意の値を設定することができる。
【００１９】
ここで、本実施形態において、発音制御部１０は、電磁石Ｅに通電することにより、発音体の発音を禁止する。また、発音制御部１０は、所定期間、歌唱区間信号を受信しなかった場合、電磁石Ｅへの通電を中止することにより、発音体の発音を許可する。
【００２０】
発音制御部１０が電磁石Ｅに通電した場合、電磁石ＥはＯＮ状態となる。電磁石Ｅが発生する磁力により、強磁性体である軸部Ｐは帯磁する。軸部Ｐが帯磁することにより、軸部Ｐが保持するシンバルは、揺動が困難な状態となる。なお、図２に示したように、電磁石Ｅは、発音体Ｓ１〜発音体Ｓ５の全ての軸部Ｐと磁気的に接続されている。よって、発音制御部１０が電磁石Ｅに通電した場合、全ての発音体において、シンバルは揺動が困難な状態となる。
【００２１】
このような状態においてカラオケ用タンバリン１を振ったとしても、シンバルが揺動することは困難である。よって、発音体からの発音を禁止できる。
【００２２】
一方、発音制御部１０が電磁石Ｅへの通電を中止した場合、電磁石ＥはＯＦＦ状態となる。この場合、軸部Ｐは帯磁しないため、シンバルは揺動が容易となる。よって、発音体は所定の音色で発音する。
【００２３】
次に、図３を参照して、本実施形態に係るカラオケ用タンバリン１の具体的な動作について説明する。この例では、禁止手段として電磁石Ｅを例に説明する。また、カラオケ装置Ｋとカラオケ用タンバリン１とは予めペアリングされている。また、カラオケ装置Ｋとカラオケ用タンバリン１とは、一般的な近距離無線通信技術を利用して通信可能となっている。
【００２４】
ここで、歌唱者Ｘは、カラオケ装置Ｋを利用して楽曲Ｙのカラオケ歌唱を行うとする。この場合、カラオケ装置Ｋは、楽曲Ｙの楽曲データから歌唱者が発声する歌唱区間とそれ以外の区間（非歌唱区間）を特定する。カラオケ装置Ｋは、歌唱区間のカラオケ演奏中は歌唱区間信号をカラオケ用タンバリン１に送信する。
【００２５】
発音制御部１０は、カラオケ装置Ｋから送信される歌唱区間信号を受信する（歌唱区間信号の受信。ステップ１０）。
【００２６】
発音制御部１０は、電磁石Ｅに通電することにより、発音体の発音を禁止する（発音の禁止。ステップ１１）。よって、歌唱者Ｘのカラオケ歌唱中にカラオケ用タンバリン１を使用したとしても発音されることは無い。
【００２７】
その後、歌唱者Ｘのカラオケ歌唱が終了したとする。この場合、カラオケ装置Ｋは歌唱区間信号の送信を停止する。
【００２８】
所定期間、歌唱区間信号を受信しなかった場合（ステップ１２でＹの場合）、発音制御部１０は、電磁石Ｅへの通電を中止することにより、発音体Ｓの発音を許可する（発音の許可。ステップ１３）。
【００２９】
このように本実施形態に係るカラオケ用タンバリン１は、軸部Ｐにより保持された複数のシンバルが揺動し、互いに接触することで発音する発音体を有する。カラオケ用タンバリン１は、カラオケ装置Ｋから、ある楽曲の歌唱区間についてカラオケ演奏中であることを示す歌唱区間信号を受信した場合、禁止手段を駆動させることにより、発音体の発音を禁止する発音制御部１０を有する。
【００３０】
このようなカラオケ用タンバリン１によれば、歌唱区間のカラオケ演奏中には全ての発音体の発音が禁止される。従って、歌唱者は、カラオケ用タンバリン１の音を気にすることなく、カラオケ歌唱を行うことができる。すなわち、本実施形態に係るカラオケ用タンバリン１によれば、カラオケ歌唱を妨げるような使用を禁止することができる。
【００３１】
また、本実施形態に係る軸部Ｐ及びシンバルＣ１〜シンバルＣ４は強磁性体により構成されており、禁止手段は、軸部Ｐと磁気的に接続された電磁石Ｅである。発音制御部１０は、電磁石Ｅに通電することにより、発音体の発音を禁止する。
【００３２】
このように、電磁石Ｅに通電することにより、電磁石から発生した磁力によって軸部Ｐが帯磁し、シンバルは揺動が困難な状態となる。よって、シンバルが揺動し、互いに接触することがないため、発音体の発音を禁止できる。
【００３３】
また、本実施形態に係るカラオケ用タンバリン１は、複数の発音体Ｓ１〜発音体Ｓ５と、複数の軸部Ｐを固定するフレームＦと、利用者が把持するための把持部Ｈと、を備え、電磁石Ｅは、把持部Ｈの内部に配設される。このような構成のカラオケ用タンバリン１によれば、カラオケ歌唱を妨げるような使用を禁止することができる。
【００３４】
また、所定期間、歌唱区間信号を受信しなかった場合、発音制御部１０は、電磁石Ｅへの通電を中止することにより、発音体の発音を許可する。所定期間に渡って歌唱区間信号を受信しない場合、カラオケ歌唱が行われていない（或いはカラオケ演奏自体が行われていない）ことを意味する。そのような場合には、電磁石Ｅへの通電を中止することで、シンバルは揺動が容易となる。よって、カラオケ用タンバリン１を鳴らすことが可能となる。
【００３５】
＜その他＞
なお、上記実施形態におけるフレームＦや把持部Ｈの形状は上記例に限られない。また、発音体の数は５つに限られない。また、一の発音体が有するシンバルの数も少なくとも２つ（一組）あればよい。
【００３６】
更に、禁止手段は電磁石Ｅに限られない。たとえば、フェルト・パッド及びアクチュエータを含む振動防止部材を、シンバルに取り付ける。振動防止部材は、「禁止手段」の一例である。
【００３７】
発音制御部１０は、歌唱区間信号を受信した場合、アクチュエータを駆動し、フェルト・パッドをシンバルに押し付けることにより、発音体の発音を禁止する。この場合、軸部Ｐ及びシンバルは強磁性体である必要は無い。
【００３８】
また、カラオケ装置Ｋは、歌唱区間信号を送信する代わりに、歌唱区間の開始信号と終了信号を送信することでもよい。開始信号を受信した場合、発音制御部１０は、禁止手段を駆動させることにより、発音体の発音を禁止する。一方、終了信号を受信した場合、発音制御部１０は、禁止手段の駆動を中止することにより、発音体の発音を許可する。このような構成によれば、ある楽曲の非歌唱区間においてはカラオケ用タンバリン１の使用が可能となるため、カラオケ歌唱を妨げることなく、カラオケ歌唱の場を更に盛り上げることができる。
【００３９】
更に、軸部Ｐの構成は上記例に限られない。軸部Ｐは、その一部が湾曲していてもよい。図４は、変形例に係るカラオケ用タンバリンの発音体Ｓ１を拡大した図である。ここでは、発音体Ｓ１のみを示しているが、他の発音体も同様の構成であってもよい。逆に、少なくとも一の発音体が図４に示す構成であり、他の発音体は実施形態で説明した発音体の構成であってもよい。
【００４０】
図４に示すように、本変形例における軸部Ｐは、シンバルＣ２とシンバルＣ３の間が、らせん状に形成されている。このように軸部Ｐを形成することにより、シンバルと接する軸部の表面積を大きくすることができる。従って、軸部Ｐが帯磁した場合に、より確実にシンバルの揺動を妨げることができる。なお、軸部Ｐの両端は、フレームＦに固定されている（図示なし）。
【００４１】
上記実施形態は、例として提示したものであり、発明の範囲を限定するものではない。上記の構成は、適宜組み合わせて実施することが可能であり、発明の要旨を逸脱しない範囲で、種々の省略、置き換え、変更を行うことができる。上記実施形態やその変形は、発明の範囲や要旨に含まれると同様に、特許請求の範囲に記載された発明とその均等の範囲に含まれる。
【符号の説明】
【００４２】
１  カラオケ用タンバリン
１０  発音制御部
Ｃ１〜Ｃ４  シンバル
Ｅ  電磁石
Ｆ  フレーム
Ｈ  把持部
Ｍ  制御装置
Ｐ  軸部
Ｓ１〜Ｓ５  発音体
【図１】
2020052174.tif 000003
【図２】
2020052174.tif 000004
【図３】
2020052174.tif 000005
【図４】
2020052174.tif 000006